(57)【要約】  本発明の実施形態は、モバイルネットワークＰＬＭＮへのアクセスのためのユーザ装置ＵＥによるＷＬＡＮアクセスネットワークＷＬＡＮ−ＡＮ選択のための方法であって、前記選択が、在圏ＰＬＭＮ  ＶＰＬＭＮにローミングしており自身のホームＰＬＭＮ  ＨＰＬＭＮ内のパケットデータネットワークゲートウェイＰＤＮ−ＧＷを必要とするＵＥに対して、接続性情報と呼ばれる、前記選択に関するＷＬＡＮ−ＡＮ候補の前記ＨＰＬＭＮ内の少なくとも１つのＰＤＮ−ＧＷへの接続性に関する情報に基づいて、前記ＨＰＬＭＮ内の少なくとも１つのＰＤＮ−ＧＷへの接続性を有するＷＬＡＮ−ＡＮを選択することを含む、方法を含む。
2016521926.tif 000002
【特許請求の範囲】
【請求項１】
モバイルネットワークＰＬＭＮへのアクセスのためのユーザ装置ＵＥによるＷＬＡＮアクセスネットワークＷＬＡＮ−ＡＮ選択のための方法であって、前記選択が、在圏ＰＬＭＮ  ＶＰＬＭＮにローミングしており自身のホームＰＬＭＮ  ＨＰＬＭＮ内のパケットデータネットワークゲートウェイＰＤＮ−ＧＷを必要とするＵＥに対して、接続性情報と呼ばれる、前記選択に関するＷＬＡＮ−ＡＮ候補の前記ＨＰＬＭＮ内の少なくとも１つのＰＤＮ−ＧＷへの接続性に関する情報に基づいて、前記ＨＰＬＭＮ内の少なくとも１つのＰＤＮ−ＧＷへの接続性を有するＷＬＡＮ−ＡＮを選択することを含む、方法。
【請求項２】
前記ＵＥに前記接続性情報を提供すること
を備える、請求項１に記載の方法。
【請求項３】
候補ＷＬＡＮ−ＡＮが、前記候補ＷＬＡＮ−ＡＮが少なくとも１つのＰＤＮ−ＧＷとの接続性を有するＰＬＭＮのリストを含む接続性情報を前記ＵＥに提供すること
を備える、請求項１または２に記載の方法。
【請求項４】
前記ＵＥが候補ＷＬＡＮ−ＡＮに接続性情報を要求することであって、前記ＷＬＡＮ−ＡＮが特定のＰＬＭＮ内の少なくとも１つのＰＤＮ−ＧＷへの接続性を有するかどうか要求することを含む、要求すること
を備える、請求項１から３のいずれか一項に記載の方法。
【請求項５】
前記ＵＥが候補ＷＬＡＮ−ＡＮに接続性情報を要求することであって、ＵＥからＷＬＡＮ−ＡＮへのシグナリングによって、前記ＷＬＡＮ−ＡＮが特定のＰＬＭＮ内の少なくとも１つのＰＤＮ−ＧＷへの接続性を有するかどうか要求することを含む、要求すること
を備える、請求項１から４のいずれか一項に記載の方法。
【請求項６】
前記ＵＥが候補ＷＬＡＮ−ＡＮに接続性情報を要求することであって、ＩＥＥＥ８０２．１１ｕＡＮＱＰプロトコルによって、前記ＷＬＡＮ−ＡＮが特定のＰＬＭＮ内の少なくとも１つのＰＤＮ−ＧＷへの接続性を有するかどうか要求することを含む、要求すること
を備える、請求項１から５のいずれか一項に記載の方法。
【請求項７】
候補ＷＬＡＮ−ＡＮが、前記ＷＬＡＮ−ＡＮが特定のＰＬＭＮ内の少なくとも１つのＰＤＮ−ＧＷへの接続性を有するかを含む、接続性情報の要求に応答すること
を備える、請求項１から６のいずれか一項に記載の方法。
【請求項８】
候補ＷＬＡＮ−ＡＮが、ＩＥＥＥ８０２．１１ｕＡＮＱＰプロトコルによって、前記ＷＬＡＮ−ＡＮが特定のＰＬＭＮ内の少なくとも１つのＰＤＮ−ＧＷへの接続性を有するかを含む接続性情報の要求に応答すること
を備える、請求項１から７のいずれか一項に記載の方法。
【請求項９】
ＨＰＬＭＮ内の少なくとも１つのＰＤＮ−ＧＷとの接続性が必要であるかについてのインジケーションを用いて前記ＵＥを構成すること
を備える、請求項１から８のいずれか一項に記載の方法。
【請求項１０】
ＨＰＬＭＮ内の少なくとも１つのＰＤＮ−ＧＷとの接続性が必要であるかについてのインジケーションを用いて前記ＵＥを構成することであって、前記インジケーションが、ＨＰＬＭＮ内のホームアクセスネットワーク発見および選択機能Ｈ−ＡＮＤＳＦによりＵＥに設定されたグローバルインジケータを含む、構成すること
を備える、請求項１から９のいずれか一項に記載の方法。
【請求項１１】
ＨＰＬＭＮ内のＰＤＮ−ＧＷが必要であるかについてのインジケーションを用いてアクセスポイント名ＡＰＮごとに前記ＵＥを構成すること
を備える、請求項１から１０のいずれか一項に記載の方法。
【請求項１２】
前記ＵＥが、前記接続性情報に基づいて候補ＷＬＡＮ−ＡＮのリストを前記ＨＰＬＭＮ内の少なくとも１つのＰＤＮ−ＧＷとの接続性を有する候補ＷＬＡＮ−ＡＮに制限すること
を備える、請求項１から１１のいずれか一項に記載の方法。
【請求項１３】
前記ＵＥが、候補ＷＬＡＮ−ＡＮのリストを前記ＨＰＬＭＮ内の少なくとも１つのＰＤＮ−ＧＷとの接続性を有する候補ＷＬＡＮ−ＡＮに制限するための条件として、ＨＰＬＭＮ内のＰＤＮ−ＧＷが必要であるかについてのインジケーションを用いること
を備える、請求項１から１２のいずれか一項に記載の方法。
【請求項１４】
ＶＰＬＭＮ内の少なくとも１つのＰＤＮ−ＧＷとの接続性を使用したセッション継続を許可する候補ＷＬＡＮ−ＡＮのリストを取得した前記ＵＥが、ＷＬＡＮ−ＡＮおよびＵＥの間のシグナリングによって、前記ＷＬＡＮ−ＡＮが前記ＨＰＬＭＮ内の少なくとも１つのＰＤＮ−ＧＷとの接続性を有するかを含む接続性情報を取得し、前記情報が否定的である場合に、前記ＵＥが、前記選択に関する候補ＷＬＡＮ  ＡＮとして前記ＷＬＡＮ−ＡＮをこれ以上考慮しないこと
を備える、請求項１から１３のいずれか一項に記載の方法。
【請求項１５】
請求項１から１４のいずれか一項に記載の方法の関連ステップを実行するように構成された、ユーザ装置ＵＥ。
【請求項１６】
請求項１から１４のいずれか一項に記載の方法の関連ステップを実行するように構成された、アクセスポイントＡＰなどのＷＬＡＮアクセスネットワークＷＬＡＮ−ＡＮエンティティ。
【請求項１７】
アクセスポイントなどのＷＬＡＮアクセスネットワークＷＬＡＮ−ＡＮエンティティであって、前記ＷＬＡＮ−ＡＮがＳ２ａ接続性を有するＰＬＭＮのリストをユーザ装置ＵＥに提供するように構成された、ＷＬＡＮ−ＡＮエンティティ。
【請求項１８】
前記リストをＩＥＥＥ８０２．１１ｕＡＮＱＰ情報として提供するように構成された、請求項１７に記載のＷＬＡＮ−ＡＮエンティティ。
【請求項１９】
前記ＷＬＡＮ−ＡＮが認証用に使用可能なＰＬＭＮのリストに加えて前記リストを提供するように構成された、請求項１７または１８に記載のＷＬＡＮ−ＡＮエンティティ。
【請求項２０】
認証用かまたはＳ２ａ接続性用かあるいは両方用かを示すＰＬＭＮにつき２ビットを有する、ＰＬＭＮの単一のリストを提供するように構成された、請求項１９に記載のＷＬＡＮ−ＡＮエンティティ。
【請求項２１】
ＷＬＡＮアクセスネットワークＷＬＡＮ−ＡＮがＳ２ａ接続性を有するＰＬＭＮのリストが提供されるように構成された、ユーザ装置ＵＥ。
【請求項２２】
ＩＥＥＥ８０２．１１ｕＡＮＱＰ情報として前記リストが提供されるように構成された、請求項２１に記載のユーザ装置ＵＥ。
【請求項２３】
前記ＷＬＡＮ−ＡＮが認証用に使用可能なＰＬＭＮのリストに加えて前記リストが提供されるように構成された、請求項２１または２２に記載のユーザ装置ＵＥ。
【請求項２４】
認証用かまたはＳ２ａ接続性用かあるいは両方用かを示すＰＬＭＮにつき２ビットを有する、ＰＬＭＮの単一のリストを提供するように構成された、請求項２３に記載のユーザ装置ＵＥ。
【請求項２５】
ＩＥＥＥ８０２．１１ｕＡＮＱＰクエリを介して、前記ＷＬＡＮ−ＡＮが特定のＰＬＭＮへの接続性を有するかどうか要求するように構成された、請求項２１から２４のいずれか一項に記載のユーザ装置ＵＥ。
【発明の詳細な説明】
【技術分野】
【０００１】
本発明は一般に、モバイル通信ネットワークおよびシステムに関する。
【背景技術】
【０００２】
モバイル通信ネットワークおよびシステムの詳細な説明は、特に、３ＧＰＰ（第三世代パートナーシッププロジェクト）などの標準化団体により発行された技術仕様などの文献において見出すことができる。
【０００３】
一般的に、パケットモバイル通信システムにおいて、ユーザ装置（ＵＥ：Ｕｓｅｒ  Ｅｑｕｉｐｍｅｎｔ）は、パケットデータネットワーク（ＰＤＮ）接続サービスを提供するモバイルネットワークにアクセスすることができる。モバイルネットワークは通常、アクセスネットワーク（ＡＮ）によりアクセスされるコアネットワーク（ＣＮ）を備える。ＣＮは一般に、とりわけ、外部ＰＤＮ（通常はＩＰネットワーク、たとえばインターネット、イントラネット、または事業者ＩＰネットワーク、たとえばＩＭＳネットワーク）とインターフェースするＰＤＮゲートウェイ（ＰＤＮ−ＧＷ）と呼ばれるモビリティアンカーポイントを備える。モバイルネットワーク上でＵＥおよびＰＤＮ／ＩＰネットワークの間に確立されたＰＤＮ接続を用いて、様々なＩＰベースのユーザサービスまたはアプリケーションにアクセスすることができる。
【０００４】
パケットモバイル通信システムの一例は、進化型パケットシステム（ＥＰＳ：Ｅｖｏｌｖｅｄ  Ｐａｃｋｅｔ  Ｓｙｓｔｅｍ）である。ＥＰＳネットワークは、ＣＮ（進化型パケットコア（ＥＰＣ：Ｅｖｏｌｖｅｄ  Ｐａｃｋｅｔ  Ｃｏｒｅ）と呼ばれる）を備え、ＣＮは、３ＧＰＰアクセスネットワーク（３ＧＰＰ  ＡＮ）たとえばＥ−ＵＴＲＡＮ、ならびに非３ＧＰＰアクセスネットワーク（非３ＧＰＰ  ＡＮ）たとえば特にＷＬＡＮアクセスネットワーク（ＷＬＡＮ−ＡＮ）によりアクセス可能であり、これは以下でより詳細に検討することにする。
【０００５】
ＥＰＣへのＷＬＡＮアクセスは、特に３ＧＰＰ  ＴＳ２３．４０２に示されている。信頼できるＷＬＡＮアクセスネットワークおよび信頼できないＷＬＡＮアクセスネットワークの間の区別は、特に３ＧＰＰ  ＴＳ２３．４０２および３ＧＰＰ  ＴＳ３３．４０２で紹介されている。３ＧＰＰ  ＴＳ２３．４０２に記載のように、信頼できるＷＬＡＮアクセスネットワークは、ＥＰＣ内のＰＤＮ−ＧＷとのＳ２ａインターフェースと呼ばれるインターフェースを介してＥＰＣにアクセスできることがある。
【０００６】
ＥＰＣへの信頼できるＷＬＡＮアクセスのためのローミングアーキテクチャの例が、３ＧＰＰ  ＴＳ２３．４０２から抜粋された図１（ホーム経由（Ｈｏｍｅ  Ｒｏｕｔｅｄ）の場合）および図２（ローカルブレークアウトＬＢＯの場合）で想起される。これらのローミングアーキテクチャでは、ＵＥは、そのユーザはホームＰＬＭＮ（ＨＰＬＭＮ：Ｈｏｍｅ  ＰＬＭＮ）に加入しているが、在圏ＰＬＭＮ（ＶＰＬＭＮ：Ｖｉｓｉｔｅｄ  ＰＬＭＮ）にローミングしている。ホーム経由の場合、信頼できるＷＬＡＮアクセスネットワークは、Ｓ２ａインターフェースを介してＨＰＬＭＮ内のＰＤＮ−ＧＷにアクセスすることができる。ＬＢＯの場合、信頼できるＷＬＡＮアクセスネットワークは、Ｓ２ａインターフェースを介してＶＰＬＭＮ内のＰＤＮ−ＧＷにアクセスすることができる。ホーム経由サービスとも呼ばれる特定のユーザサービスは、ＨＰＬＭＮ内のＰＤＮ  ＧＷの使用を必要とすることがある一方で、ＬＢＯベースのサービスとも呼ばれる他のサービスは、ＶＰＬＭＮ内のＰＤＮ  ＧＷの使用を必要とすることがある。ホーム経由サービスの例には、企業ＶＰＮ、ＨＴＴＰＳ銀行取引などが含まれることがある。ＬＢＯベースのサービスの例には、ボイスオーバーＩＭＳなどが含まれる。
【先行技術文献】
【非特許文献】
【０００７】
【非特許文献１】３ＧＰＰ  ＴＳ２３．４０２
【非特許文献２】３ＧＰＰ  ＴＳ３３．４０２
【非特許文献３】３ＧＰＰ  ＴＳ２４．３０２
【非特許文献４】３ＧＰＰ  ＴＳ２３．２３４
【非特許文献５】３ＧＰＰ  ＴＳ２４．２３４
【非特許文献６】３ＧＰＰ  ＴＲ２３．８６５
【発明の概要】
【発明が解決しようとする課題】
【０００８】
そのようなシステムでは、ユーザ装置ＵＥがモバイルコアネットワーク（たとえばＥＰＣネットワーク）にアクセスするために適切なＷＬＡＮアクセスネットワークを選択することは非常に重要である。しかしながら、発明者により認識され後でより詳細に説明されることになるように、現在規定されているＷＬＡＮアクセスネットワーク選択手順は、いくつかの場合において、具体的には（たとえばホーム経由サービスのための）ＨＰＬＭＮ内のＰＤＮ−ＧＷの使用を要求するＵＥに対して、また、具体的には（たとえばＬＢＯベースのサービスのための）ＶＰＬＭＮ内のＰＤＮ−ＧＷの使用と（たとえばホーム経由サービスのための）ＨＰＬＭＮ内のＰＤＮ−ＧＷの使用とを同時に要求するＵＥに対して、適切なＷＬＡＮアクセスネットワーク選択を提供することができない。適切なＷＬＡＮアクセスネットワークが提供できない場合、深刻な結果をもたらすことがある。したがって、特にそのような場合のために、ＷＬＡＮアクセスネットワーク選択を改良する必要がある。より一般的には、そのようなシステムの性能を向上させる必要がある。
【課題を解決するための手段】
【０００９】
本発明の実施形態は、特にそのような需要に対処するものである。
【００１０】
これらおよび他の目的は、一態様における一実施形態において、モバイルネットワークＰＬＭＮへのアクセスのためのユーザ装置ＵＥによるＷＬＡＮアクセスネットワークＷＬＡＮ−ＡＮ選択のための方法であって、前記選択が、在圏ＰＬＭＮ  ＶＰＬＭＮにローミングしており自身のホームＰＬＭＮ  ＨＰＬＭＮ内のパケットデータネットワークゲートウェイＰＤＮ−ＧＷを必要とするＵＥに対して、接続性情報と呼ばれる、前記選択に関するＷＬＡＮ−ＡＮ候補の前記ＨＰＬＭＮ内の少なくとも
１つのＰＤＮ−ＧＷへの接続性に関する情報に基づいて、前記ＨＰＬＭＮ内の少なくとも１つのＰＤＮ−ＧＷへの接続性を有するＷＬＡＮ−ＡＮを選択することを含む、方法により達成される。
【００１１】
これらおよび他の目的は、他の態様では、本発明の実施形態による方法の関連ステップを実行するように構成されたモバイル通信システムの様々なエンティティにより達成され、前記エンティティは、具体的には（排他的ではないが）：ユーザ装置ＵＥ、ＷＬＡＮアクセスネットワークエンティティたとえばアクセスポイントＡＰを含む。
【００１２】
本発明の実施形態による装置および／または方法のいくつかの実施形態は、ほんの一例として、添付の図面を参照して以下説明される。
【図面の簡単な説明】
【００１３】
【図１】ホーム経由の場合の、ＥＰＣへの信頼できるＷＬＡＮアクセスのためのローミングアーキテクチャの一例を想起するための図である。
【図２】ローカルブレークアウトの場合の、ＥＰＣへの信頼できるＷＬＡＮアクセスのためのローミングアーキテクチャの一例を想起するための図である。
【図３】ローミング契約経由のＷＬＡＮアクセスを想起するための図である。
【図４】本発明の実施形態を例示するための図である。
【発明を実施するための形態】
【００１４】
本発明の様々な実施形態および／または態様を、３ＧＰＰベースのＥＰＳネットワークへのＷＬＡＮアクセスのための例として、以下より詳細に説明することにする。しかしながら、本発明の実施形態がこの例に限定されず、３ＧＰＰベースか非３ＧＰＰベースかにかかわらず、他のモバイルネットワークに具体的に適用できることは理解されたい。
【００１５】
端末（ＵＥ）は、３ＧＰＰ無線アクセス技術（たとえばＧＥＲＡＮ、ＵＴＲＡＮ、Ｅ−ＵＴＲＡＮ）ならびに非３ＧＰＰネットワークたとえばＷＬＡＮを介して、モバイルコアネットワークたとえばＥＰＣにアクセスすることができる。ＵＥは、双方のアクセス技術によって同時に、またはＵＥの能力に依存せずにＥＰＣにアクセスすることができる。これは、３ＧＰＰ  ＴＳ２３．４０２および２４．３０２に記載されている。ＵＥは、いくつかのＩＰフローを同時に扱うことができ、一部のＩＰフローはＷＬＡＮアクセスを使用し、他は３ＧＰＰアクセス技術を使用する。
【００１６】
ＭＯＢＩＫＥがサポートされていない場合のＶＰＮアクセス（たとえば、企業ネットワークへのアクセス）、ボイスオーバーＩＰ（ＶｏＩＰ）、ＨＴＴＰＳセッション（たとえば銀行取引）などのデータサービスは、サービス継続性を必要とする。サービス継続性は、（ＵＥが３ＧＰＰカバレッジから外れることが理由で、または、ＵＥもしくはネットワークがＩＰフローを移動させると決定したことが理由で）対応するＩＰフローがＷＬＡＮアクセスおよび３ＧＰＰアクセスの間で移動される際に、同一のＩＰアドレスを維持する場合にのみ、保証することができる。したがって、ＵＥがＩＰアドレス保存を必要とするデータサービスのために３ＧＰＰアクセスを使用する場合、ＥＰＣ内のＰＤＮ  ＧＷへのアクセスが必要となり、これはＩＰアドレスがＰＤＮ  ＧＷまたはその向こう側のエンティティにより割り当てられ、そのＰＤＮ  ＧＷはモビリティに関するアンカーポイントであるためである。これが意味するのは、ＩＰフローがＷＬＡＮアクセスに移動される場合、ユーザデータがＷＬＡＮアクセスおよびＰＤＮ  ＧＷの間で搬送可能であること、すなわちＷＬＡＮアクセスおよびＰＤＮ  ＧＷの間の接続性が可能であること（言い換えれば、Ｓ２ａインターフェースがローカルＷＬＡＮアクセスおよびＰＤＮ  ＧＷの間に設定可能であること）をＵＥは確認しなければならないということである。したがって、ＵＥがＷＬＡＮアクセスを選択する場合に、サービスがアクセスすると予想されるＰＬＭＮ内のＰＤＮ  ＧＷへの接続性をＷＬＡＮが有することを確認しなければならない。
【００１７】
ＥＰＣ内のＰＤＮ  ＧＷへのアクセスを必要とする他のデータサービスも存在し、たとえばペアレンタルコントロールを伴うホーム経由サービス、またはホームモバイル事業者サービスプラットフォームにより提供されるいくつかのサービスがある。
【００１８】
ローミングする場合、３ＧＰＰ標準およびＧＳＭＡ勧告に従って、ＶｏＩＰなどのサービスは、ＵＥが登録されている在圏ＰＬＭＮ内のＰＤＮ  ＧＷを介してルーティングされる。一方、ＶＰＮアクセスまたはＨＴＴＰＳセッションなどの他のサービスは、ＵＥのホームＰＬＭＮ内のＰＤＮ  ＧＷを介してルーティングされ得る。
【００１９】
これは、ローミングしているＵＥが、ＨＰＬＭＮ内のＰＤＮ  ＧＷとのＰＤＮ接続とＶＰＬＭＮ内のＰＤＮ  ＧＷとのＰＤＮ接続とを同時に有し得ることを意味する。
【００２０】
まとめると、
・３ＧＰＰおよびＷＬＡＮの間のＩＰアドレス保存は、ＷＬＡＮアクセスおよびＰＤＮ  ＧＷの間の接続性が可能である（言い換えれば、Ｓ２ａインターフェースをＷＬＡＮアクセスおよびＰＤＮ  ＧＷの間に設定可能である）ことを必要とする。
・ＩＰアドレス保存は、ローミングする場合も、３ＧＰＰ  ＶＰＬＭＮおよびＷＬＡＮの間に保証されなければならない。
・これまで３ＧＰＰは、３ＧＰＰおよびＷＬＡＮの間のＩＰアドレス保存がＶｏＩＰ（ＶｏＩＭＳ）に対して機能することを確認すること、すなわちＰＤＮ  ＧＷがＶＰＬＭＮ内にある場合（いわゆるＬＢＯ−ローカルブレークアウト−モード）に焦点を合わせてきた。
・一つの問題は、ローミングしているＵＥが、ＨＰＬＭＮ内のＰＤＮ  ＧＷとのＰＤＮ接続（ホーム経由モード、たとえばＨＴＴＰＳセッションまたはＶＰＮアクセス用）と、ＶＰＬＭＮ内のＰＤＮ  ＧＷとのＰＤＮ接続性（ＬＢＯモード、たとえばＶｏＩＰ用）とを同時に有し得ることである。
【００２１】
既存の３ＧＰＰまたはＷｉＦｉアライアンス（ＷＦＡ）の仕様では、ＵＥが、ＷＬＡＮが自身のホームＰＬＭＮのＰＤＮ  ＧＷへの接続性を有するかを認識する方法がない。
【００２２】
３ＧＰＰ標準において、ＷＬＡＮを選択するメカニズムがＴＳ２３．２３４および２４．２３４に記載されているが（Ｉ−ＷＬＡＮ選択）、このメカニズムは何らかの形で大きな修正を要するものと考えられており、ＡＮＤＳＦを用いる他のメカニズムが３ＧＰＰ標準化団体で検討中であり、ＴＲ２３．８６５に記載されている。
【００２３】
本発明の諸実施形態では、ＵＥがＶｏＩＰを用いると予想される場合にＷＬＡＮを選択するのに在圏ＡＮＤＳＦ（Ｖ−ＡＮＤＳＦ：Ｖｉｓｉｔｅｄ  ＡＮＤＳＦ）を用いることが提案され、この理由はＶＰＬＭＮが、そのＰＬＭＮのＷＬＡＮアクセス、またはそのＷＬＡＮパートナーのうちの１つのＷＬＡＮパートナーのＷＬＡＮアクセスがＶＰＬＭＮ  ＰＤＮ  ＧＷにアクセス可能か否かを認識するように簡単に構成可能であるためである。
【００２４】
一解決方法は、以下のように、ＵＥのホームＰＬＭＮ内のＰＤＮ  ＧＷを介してルーティングされるサービスをサポートするように機能することができる：ホームＡＮＤＳＦ（Ｈ−ＡＮＤＳＦ）も同様に、ホームＰＬＭＮ内のＰＤＮ  ＧＷとの接続性を有する全てのＷＬＡＮを全ての外国のＰＬＭＮ（ｆｏｒｅｉｇｎ  ＰＬＭＮ）において認識するように構成することができる。そしてＵＥは、以下の二組のＡＮＤＳＦポリシーを混合させることになる：
・ＶＰＬＭＮのＰＤＮ  ＧＷがＳ２ａ接続性を確立可能なＷＬＡＮ  ＡＮを参照するＶ−ＡＮＤＳＦポリシー
・ＨＰＬＭＮのＰＤＮ  ＧＷがＳ２ａ接続性を確立可能なＷＬＡＮ  ＡＮを参照するＨ−ＡＮＤＳＦポリシー
この種の解決方法の問題は以下である：
・ＵＥがＶ−ＡＮＤＳＦポリシーおよびＨ−ＡＮＤＳＦポリシーの双方を用いて双方の条件を満たすＷＬＡＮを発見するための潜在的な複雑性
・ローミングパートナーの全てのＷＬＡＮに対する設定が必要となり得るＨ−ＡＮＤＳＦにおける複雑なＯＡＭ
重く、最新でない設定を回避するために、そのような解決方法は、ＷＬＡＮごとに別個にではなく、ＷＬＡＮの組、たとえば「ローミングコンソーシアム（ｒｏａｍｉｎｇ  ｃｏｎｓｏｒｔｉｕｍ）」のもの、または同一の「ＳＳＩＤ」をブロードキャストするものに対して、Ｈ−ＡＮＤＳＦの設定が必要となるように改良することができる。３ＧＰＰ事業者が「ローミングコンソーシアム」とのローミング契約を有する例示的な配備が、３ＧＰＰ  ＴＲ２３．８６５から抜粋された図３に示されている。しかしながら、「ローミングコンソーシアム」の一部のＷＬＡＮは、ＨＰＬＭＮのＰＤＮ  ＧＷへの接続性を有することがあるが、その他は有さない。したがって、Ｈ−ＡＮＤＳＦはこの問題を解決するのに使用することができない。
【００２５】
ＴＳ２４．２３４の附属書Ａにおいて、ＰＬＭＮのリストをＷＬＡＮアクセスによりＵＥへＩＥＥＥ標準８０２．１１ｕ−２０１１汎用コンテナ（ＡＮＱＰ）を用いて送信できることが示されている。しかしながら、このＰＬＭＮのリストは、認証目的でアクセス可能な３ＧＰＰ  ＡＡＡプロキシサーバに対応するものであり、ＷＬＡＮアクセスがＳ２ａインターフェースをサポートするＨＰＬＭＮのリストに対応するものではない。
【００２６】
本発明の実施形態は、以下のアイデアのうちの１つまたは複数に基づいている：
【００２７】
−  ＷＬＡＮアクセスがＵＥのＨＰＬＭＮとのＳ２ａインターフェースをセットアップできるかについての情報をＵＥに提供すること。これは、図４のシステムアーキテクチャの一例に示されている。この情報は、
○  ＷＬＡＮアクセスがＰＤＮ  ＧＷとの接続性を有するＰＬＭＮのリストとして送信することができる（ＷＬＡＮアクセスがこれらのＰＬＭＮのＰＤＮ  ＧＷとのＳ２ａインターフェースをサポートする）。
○  あるいはＵＥは、ＷＬＡＮが特定のＰＬＭＮのＰＤＮ  ＧＷへの接続性を有するかを、そのＰＬＭＮの識別子をネットワークに提供することで、（たとえばＩＥＥＥ８０２．１１ＡＮＱＰクエリを介して）ネットワークに要求することができる。
【００２８】
−  候補ＷＬＡＮのリストをＵＥのホームＰＬＭＮ内のＰＤＮ  ＧＷへの接続性を有するものに制限することで、ＵＥにおけるＷＬＡＮ選択アルゴリズムを拡張すること。
【００２９】
−  「ＨＰＬＭＮ  ＰＤＮ  ＧＷアクセスが必要である」かについてのインジケーションを用いて（ＡＮＤＳＦまたは他の手段で）ＵＥを設定すること。この情報は：
○  Ｈ−ＡＮＤＳＦによりＵＥに設定されたグローバルインジケータ（ｇｌｏｂａｌ  ｉｎｄｉｃａｔｏｒ）「ＨＰＬＭＮ  ＰＤＮ  ＧＷアクセスが必要である」とすることができる。
○  あるいはＵＥを、ＡＰＮごとに「このＡＰＮはＨＰＬＭＮのＰＤＮ  ＧＷを使用し得る」かについて設定することができる。
【００３０】
−  候補ＷＬＡＮのリストをＵＥのホームＰＬＭＮ内のＰＤＮ  ＧＷへの接続性を有するものに制限するための条件として、ＵＥにおいて前記インジケーションを使用すること。以下のテキストは、「ＨＰＬＭＮ  ＰＤＮ  ＧＷアクセスが必要である」によってＵＥが設定される場合の、ＵＥの動作に関するより詳細な実施形態を提供する：
○  条件「ＨＰＬＭＮ  ＰＤＮ  ＧＷアクセスが必要である」は、以下の場合に適用が想定される
・  グローバルインジケータ「ＨＰＬＭＮ  ＰＤＮ  ＧＷアクセスが必要である」がＵＥに設定されている場合
・  または、ＵＥがＰＤＮ接続を起動したＡＰＮの少なくとも１つに対する「このＡＰＮはＨＰＬＭＮのＰＤＮ  ＧＷを使用し得る」というインジケーションによってＵＥが設定される場合
○  セッション継続を許可するＷＬＡＮを優先するようにＵＥが構成される場合、ＵＥはまず、Ｖ−ＡＮＤＳＦポリシーにより参照されるＷＬＡＮアクセスを検討する。（このメカニズムは、現在３ＧＰＰ  ＳＡ２で議論されており、ＴＲ２３．８６５に文書化されている）。
○  これらのＷＬＡＮアクセスにわたって、ＵＥは、ＷＬＡＮアクセスが自身のＨＰＬＭＮ内のＰＤＮ  ＧＷとのＳ２ａインターフェースを通してのＰＤＮ接続性をセットアップできるかについての情報を取得する。インジケーションが否定的である場合、そのＷＬＡＮアクセスは、ＵＥによるＷＬＡＮ  ＡＮ選択の候補としてこれ以上検討されない。
【００３１】
以下の説明は、問題の例示的な説明（「問題の記述」）と、本発明の実施形態による例示的解決方法の説明（「解決方法の説明」）とを含む。
【００３２】
問題の記述
３ＧＰＰ  ＴＲ２３．８６５に記載の解決方法＃３および＃４では、ＵＥは、ローミングする場合に、「ＨＰＬＭＮにより提供されるＷＬＡＮを優先する」または「ＨＰＬＭＮにより提供されるＷＬＡＮを優先しない」ように構成されている。ＵＥがＨＰＬＭＮにより提供されるＷＬＡＮを優先しないように構成されている場合、ＵＥは、ＶＰＬＭＮにより提供される規則から「アクティブな」ＡＮＤＳＦ  ＩＳＲＰ規則を選択する（Ｖ−ＡＮＤＳＦ）。これにより、ＩＰアドレスの保存を必要とするサービスに対してローカルブレークアウトシナリオにおけるシームレスな継続性を提供することができる：そのようなサービスの一例は、ＶｏＩＭＳである。これは主に、ＶＰＬＭＮのみが、ＴＷＡＮが自身のＰＤＮ  ＧＷの一部へのＳ２ａ接続性を提供することを保証できるためである。
【００３３】
ＵＥは、主にＮＳＷＯサービスに対して、ＨＰＬＭＮにより提供されるＷＬＡＮを優先するように構成される。他方、ＩＰアドレスの保存を必要とするサービスも存在する：企業ＶＰＮ、ｈｔｔｐｓ銀行取引などは一部の例である。ＨＰＬＭＮは、どのＷＬＡＮがそのＰＤＮ  ＧＷとの直接接続性を有しているかを認識しているはずであるので、一つの解決方法は、ＨＰＬＭＮにより提供されるＷＬＡＮを優先するようにＵＥを構成することであろう。
【００３４】
しかしながら、ＶｏＩＭＳと、ＩＰアドレス保存を伴うホーム経由サービス、たとえば企業ＶＰＮおよびｈｔｔｐｓ取引とを同時に提供することを事業者が望むと予想される。一解決方法が、以下に提案される。
【００３５】
解決方法の説明
概観
Ｖ−ＡＮＤＳＦにより、ＶＰＬＭＮ内の１つまたは複数のＰＤＮ  ＧＷとのＳ２ａ接続性を有するＷＬＡＮのリストを選択することが可能となる。しかしながら、そのリスト内の任意のＷＬＡＮがＨＰＬＭＮ内の１つまたは複数のＰＤＮ  ＧＷとの接続性を有することを保証せず、これはＶＰＬＭＮがそのことを認識していないためである（特に、そのリスト内の一部のＷＬＡＮが、ＶＰＬＭＮ自体によってではなく、そのパートナーの１つにより運用される場合）。
【００３６】
したがってＵＥに、Ｖ−ＡＮＤＳＦにより提供されるリスト内のどのＷＬＡＮが、自身のＨＰＬＭＮ内のＰＤＮ  ＧＷへの接続性を有するかを認識させる必要がある。これは、たとえば  ＷＬＡＮが認証用に使用可能なＰＬＭＮの既存のリストに加えて、ＷＬＡＮがＰＤＮ  ＧＷ（Ｓ２ａ）接続性を有するＰＬＭＮのリストを提供するように、ＡＮＱＰ情報を拡張することで可能であり、ＴＳ２４．２３４附属書Ａに示されている（ＩＥＥＥ標準８０２．１１ｕ（ＴＭ）−２０１１汎用コンテナを使用）。これは、ＰＬＭＮの別個のリストとして、または、認証用か、ＰＤＮ  ＧＷ接続性用か、あるいは両方用かを示すＰＬＭＮにつき２ビットを有するＰＬＭＮのリストとして、符号化することができる。あるいはＵＥは、ＡＮＱＰクエリを介して、特定のＰＬＭＮに接続性を有するかをＷＬＡＮに要求することができる。これは、ステージ３の事項（ｓｔａｇｅ  ３  ｍａｔｔｅｒ）である。
【００３７】
そしてＵＥは、ＶＰＬＭＮおよびＨＰＬＭＮとの接続性を有するＷＬＡＮを選択できるようになり、これにより、ＬＢＯベースのＶｏＩＭＳに対してＩＰアドレスの保存が保証され、同時のホーム経由サービスが可能となる。
【００３８】
「解決方法＃３」および「解決方法＃４」への適用性
１）ＷＬＡＮ選択アルゴリズム
ＡＮＤＳＦ規則がＵＥに適用されると仮定する。
【００３９】
解決方法＃３では、ＡＮＤＳＦにより提供されるＷＬＡＮのリストは、ＩＳＲＰアクティブ規則に「最良」適合するＷＬＡＮにより構成される。先験的に、このリスト内のＷＬＡＮがＵＥのＨＰＬＭＮへの接続性を有することが保証されておらず、これはＩＳＲＰ規則がそのＰＬＭＮを考慮していないためである。
【００４０】
解決方法＃４では、ＡＮＤＳＦにより提供されるＷＬＡＮのリストは、アクティブなＩＳＲＰ規則に適合する全てのＷＬＡＮにより構成され、ＰＬＭＮ選択がその後に処理され、これによりＵＥは、ＨＰＬＭＮに（認証目的のみで）接続性するＷＬＡＮを最大優先度のＰＬＭＮとして選択することが可能となる。しかしながら、ＰＬＭＮ選択処理は、ＨＰＬＭＮ内のＰＤＮ  ＧＷとの接続性と関連がない。
【００４１】
ＨＰＬＭＮのＰＤＮ  ＧＷへの接続性を有するＷＬＡＮを選択するためには、ＵＥがＷＬＡＮリストをＨＰＬＭＮ内のＰＤＮ  ＧＷとの接続性を有するものに制限することが必要となる。また、これはＰＬＭＮ選択処理の「前に」行われなくてはならない。
【００４２】
ＩＦＯＭまたはＭＡＰＣＯＮのための拡張ＩＳＲＰフロー分配規則の一例を挙げる：
・アクセス優先度１：ＷＬＡＮ、任意のＳＳＩＤ、レルム（ｒｅａｌｍ）＝「ｅｘａｍｐｌｅ１．ｃｏｍ」
・アクセス優先度２：３ＧＰＰアクセス
・アクセス優先度３：ＷＬＡＮ、任意のＳＳＩＤ、レルム＝「ｅｘａｍｐｌｅ２．ｃｏｍ」
【００４３】
ＩＳＲＰ規則に適合するＷＬＡＮのリストは、ＷＬＡＮレルム「ｅｘａｍｐｌｅ１．ｃｏｍ」およびＷＬＡＮレルム「ｅｘａｍｐｌｅ２．ｃｏｍ」である。ＷＬＡＮレルム「ｅｘａｍｐｌｅ２．ｃｏｍ」のみがＵＥのＨＰＬＭＮ内のＰＤＮ  ＧＷにアクセスできると仮定する。
【００４４】
無変更の解決方法＃３では、「最良」適合はＷＬＡＮレルム「ｅｘａｍｐｌｅ１」となる。しかしながら、これはＨＰＬＭＮ  ＰＤＮ  ＧＷにアクセスできない。したがって、解決方法＃３は、以下のように拡張されるべきである：
１．第１に（無変更）、ＩＳＲＰ規則に「単純に」適合する全てのＷＬＡＮを選択する
２．第２に（拡張）、（たとえば、拡張ＡＮＱＰ情報を調べるなどして）ＵＥのＨＰＬＭＮ内のＰＤＮ  ＧＷにアクセスできない全てのＷＬＡＮをこのリストから除去する
３．第３に（無変更）、それらの中で「最良」適合を発見する。
【００４５】
解決方法＃４では、拡張はほぼ同様となる：
１．第１に（無変更）、ＩＳＲＰ規則に適合する全てのＷＬＡＮを選択する
２．第２に（拡張）、（たとえば、拡張ＡＮＱＰ情報を調べるなどして）ＵＥのＨＰＬＭＮ内のＰＤＮ  ＧＷにアクセスできない全てのＷＬＡＮをこのリストから除去する
３．第３に（無変更）、認証目的でＰＬＭＮ選択を行う。
【００４６】
２）ＶＰＬＭＮおよびＨＰＬＭＮの双方におけるＩＰアドレス保存のためにＷＬＡＮを選択しなくてはならないことをＵＥに通知する方法
既存のメカニズムは、「ＨＰＬＭＮにより提供されるＷＬＡＮを優先する」かまたは「ＨＰＬＭＮにより提供されるＷＬＡＮを優先しない」ように（ホームオペレータまたはユーザにより）ＵＥを構成することに依存している。ＬＢＯ（ローカルブレークアウト）の場合においてＩＰ保存を保証するためには、ＵＥは「ＨＰＬＭＮにより提供されるＷＬＡＮを優先しない」ように構成されることになる。しかしながら、ホームオペレータが（たとえば、ＩＰアドレス保存を伴う）ホーム経由サービスも必要とする場合、ＵＥが「ＨＰＬＭＮにより提供されるＷＬＡＮを優先しない」ように構成される場合のために追加の構成を設ける必要がある。この追加のＵＥ構成フラグは、２つの値を取り得る：
−  「ＨＰＬＭＮ  ＰＤＮ  ＧＷアクセス不要」：この場合、ＷＬＡＮ選択アルゴリズムは上記のステップ１および３を備える。
−  「ＨＰＬＭＮ  ＰＤＮ  ＧＷアクセス必要」：この場合、ＷＬＡＮ選択アルゴリズムは上記のステップ１、２および３を備える。
【００４７】
一態様では、モバイルネットワークＰＬＭＮへのアクセスのためのユーザ装置ＵＥによるＷＬＡＮアクセスネットワークＷＬＡＮ−ＡＮ選択のための方法が提供される。
【００４８】
様々な実施形態が提供され、これらは単独または組み合わせで、様々な組み合わせに従って用いることができる。
【００４９】
一実施形態では、前記選択は、在圏ＰＬＭＮ  ＶＰＬＭＮにローミングしており自身のホームＰＬＭＮ  ＨＰＬＭＮ内のパケットデータネットワークゲートウェイＰＤＮ−ＧＷを必要とするＵＥに対して、接続性情報と呼ばれる、前記選択に関するＷＬＡＮ−ＡＮ候補の前記ＨＰＬＭＮ内の少なくとも１つのＰＤＮ−ＧＷへの接続性に関する情報に基づいて、前記ＨＰＬＭＮ内の少なくとも１つのＰＤＮ−ＧＷへの接続性を有するＷＬＡＮ−ＡＮを選択することを含む。
【００５０】
一実施形態では、前記方法は、
前記ＵＥに前記接続性情報を提供すること
を備える。
【００５１】
一実施形態では、前記方法は、
候補ＷＬＡＮ−ＡＮが、前記候補ＷＬＡＮ−ＡＮが少なくとも１つのＰＤＮ−ＧＷとの接続性を有するＰＬＭＮのリストを含む接続性情報を前記ＵＥに提供すること
を備える。
【００５２】
一実施形態では、前記方法は、
前記ＵＥが候補ＷＬＡＮ−ＡＮに接続性情報を要求することであって、前記ＷＬＡＮ−ＡＮが特定のＰＬＭＮ内の少なくとも１つのＰＤＮ−ＧＷへの接続性を有するかどうか要求することを含む、要求すること
を備える。
【００５３】
一実施形態では、前記方法は、
前記ＵＥが候補ＷＬＡＮ−ＡＮに接続性情報を要求することであって、ＵＥからＷＬＡＮ−ＡＮへのシグナリングによって、前記ＷＬＡＮ−ＡＮが特定のＰＬＭＮ内の少なくとも１つのＰＤＮ−ＧＷへの接続性を有するかどうか要求することを含む、要求すること
を備える。
【００５４】
一実施形態では、前記方法は、
前記ＵＥが候補ＷＬＡＮ−ＡＮに接続性情報を要求することであって、ＩＥＥＥ８０２．１１ｕＡＮＱＰプロトコルによって、前記ＷＬＡＮ−ＡＮが特定のＰＬＭＮ内の少なくとも１つのＰＤＮ−ＧＷへの接続性を有するかどうか要求することを含む、要求すること
を備える。
【００５５】
一実施形態では、前記方法は、
候補ＷＬＡＮ−ＡＮが、前記ＷＬＡＮ−ＡＮが特定のＰＬＭＮ内の少なくとも１つのＰＤＮ−ＧＷへの接続性を有するかを含む、接続性情報の要求に応答すること
を備える。
【００５６】
一実施形態では、前記方法は、
候補ＷＬＡＮ−ＡＮが、ＩＥＥＥ８０２．１１ｕＡＮＱＰプロトコルによって、前記ＷＬＡＮ−ＡＮが特定のＰＬＭＮ内の少なくとも１つのＰＤＮ−ＧＷへの接続性を有するかを含む接続性情報の要求に応答すること
を備える。
【００５７】
一実施形態では、前記方法は、
ＨＰＬＭＮ内の少なくとも１つのＰＤＮ−ＧＷとの接続性が必要であるかについてのインジケーションを用いて前記ＵＥを構成すること
を備える。
【００５８】
一実施形態では、前記方法は、
ＨＰＬＭＮ内の少なくとも１つのＰＤＮ−ＧＷとの接続性が必要であるかについてのインジケーションを用いて前記ＵＥを構成することであって、前記インジケーションが、ＨＰＬＭＮ内のホームアクセスネットワーク発見および選択機能Ｈ−ＡＮＤＳＦによりＵＥに設定されたグローバルインジケータを含む、構成すること
を備える。
【００５９】
一実施形態では、前記方法は、
ＨＰＬＭＮ内のＰＤＮ−ＧＷが必要であるかについてのインジケーションを用いてアクセスポイント名ＡＰＮごとに前記ＵＥを構成すること
を備える。
【００６０】
一実施形態では、前記方法は、
前記ＵＥが、前記接続性情報に基づいて候補ＷＬＡＮ−ＡＮのリストを前記ＨＰＬＭＮ内の少なくとも１つのＰＤＮ−ＧＷとの接続性を有する候補ＷＬＡＮ−ＡＮに制限すること
を備える。
【００６１】
一実施形態では、前記方法は、
前記ＵＥが、候補ＷＬＡＮ−ＡＮのリストを前記ＨＰＬＭＮ内の少なくとも１つのＰＤＮ−ＧＷとの接続性を有する候補ＷＬＡＮ−ＡＮに制限するための条件として、ＨＰＬＭＮ内のＰＤＮ−ＧＷが必要であるかについてのインジケーションを用いること
を備える。
【００６２】
一実施形態では、前記方法は、
ＶＰＬＭＮ内の少なくとも１つのＰＤＮ−ＧＷとの接続性を経由したセッション継続を許可する候補ＷＬＡＮ−ＡＮのリストを取得した前記ＵＥが、ＷＬＡＮ−ＡＮおよびＵＥの間のシグナリングによって、前記ＷＬＡＮ−ＡＮが前記ＨＰＬＭＮ内の少なくとも１つのＰＤＮ−ＧＷとの接続性を有するかを含む接続性情報を取得し、前記情報が否定的である場合に、前記ＵＥが、前記選択に関する候補ＷＬＡＮ  ＡＮとして前記ＷＬＡＮ−ＡＮをこれ以上考慮しないこと
を備える。
【００６３】
他の実施形態を、上記の説明に基づいて提供することができる。
【００６４】
他の態様では、本発明の実施形態による方法の関連ステップを実行するように構成された様々なエンティティが提供され、前記エンティティは、具体的には（排他的ではないが）：ユーザ装置ＵＥ、ＷＬＡＮアクセスネットワークエンティティたとえばアクセスポイントＡＰを含む。
【００６５】
上記の様々な方法のステップが、プログラムされたコンピュータにより実施可能であることは、当業者であれば容易に認識するであろう。本明細書では、いくつかの実施形態はまた、機械可読またはコンピュータ可読であり機械実行可能またはコンピュータ実行可能な命令のプログラムを符号化するものであって、前記命令が前記上述の方法のステップの一部または全部を実施する、デジタルデータ記憶媒体などのプログラム記憶デバイスを含むものとする。プログラム記憶デバイスは、たとえば、デジタルメモリ、磁気記憶媒体たとえば磁気ディスクおよび磁気テープ、ハードドライブ、または任意選択で光学的可読デジタルデータ記憶媒体とすることができる。実施形態はまた、上述の方法の前記ステップを実施するようにプログラムされたコンピュータを含むものとする。
【図１】
2016521926.tif 000003
【図２】
2016521926.tif 000004
【図３】
2016521926.tif 000005
【図４】
2016521926.tif 000006
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
３ＧＰＰベースのＥＰＳネットワークへのＷＬＡＮアクセスのためのユーザ装置ＵＥ（ＵＥ）によるＷＬＡＮアクセスネットワークＷＬＡＮ−ＡＮ選択のための方法であって、ＷＬＡＮ−ＡＮ（ＷＬＡＮ  Ａ、ＷＬＡＮ  Ｂ、ＷＬＡＮ  Ｃ）がＳ２ａ接続性を有するＰＬＭＮのリストを前記ＵＥに提供することを備える、方法。
【請求項２】
前記ＷＬＡＮ−ＡＮが、前記ＷＬＡＮ−ＡＮが認証用に使用可能なＰＬＭＮのリストに加えて、ＩＥＥＥ８０２．１１ｕＡＮＱＰ情報として前記ＰＬＭＮのリストを提供することを備える、請求項１に記載の方法。
【請求項３】
前記ＷＬＡＮ−ＡＮが、認証用かまたはＳ２ａ接続性用かあるいは両方用かを示すＰＬＭＮにつき２ビットを有する、ＰＬＭＮの単一のリストを提供することを備える、請求項２に記載の方法。
【請求項４】
前記ＵＥが、ＩＥＥＥ８０２．１１ｕＡＮＱＰクエリを介して、前記ＷＬＡＮ−ＡＮが特定のＰＬＭＮへのＳ２ａ接続性を有するかどうか要求することを備える、請求項１から３のいずれか一項に記載の方法。
【請求項５】
３ＧＰＰベースのＥＰＳネットワークへのＷＬＡＮアクセスのために、ＷＬＡＮアクセスネットワークＷＬＡＮ−ＡＮ（ＷＬＡＮ  Ａ、ＷＬＡＮ  Ｂ、ＷＬＡＮ  Ｃ）がＳ２ａ接続性を有するＰＬＭＮのリストが提供されるように構成された、ユーザ装置ＵＥ（ＵＥ）。
【請求項６】
前記ＷＬＡＮ−ＡＮが認証用に使用可能なＰＬＭＮのリストに加えて、ＩＥＥＥ８０２．１１ｕＡＮＱＰ情報として前記リストが提供されるように構成された、請求項５に記載のユーザ装置ＵＥ。
【請求項７】
認証用かまたはＳ２ａ接続性用かあるいは両方用かを示すＰＬＭＮにつき２ビットを有する、ＰＬＭＮの単一のリストを提供するように構成された、請求項６に記載のユーザ装置ＵＥ。
【請求項８】
ＩＥＥＥ８０２．１１ｕＡＮＱＰクエリを介して、ＷＬＡＮ−ＡＮが特定のＰＬＭＮへのＳ２ａ接続性を有するかどうか要求するように構成された、請求項５から７のいずれか一項に記載のユーザ装置ＵＥ。
【請求項９】
アクセスポイントＡＰなどのＷＬＡＮアクセスネットワークＷＬＡＮ−ＡＮ（ＷＬＡＮ  Ａ、ＷＬＡＮ  Ｂ、ＷＬＡＮ  Ｃ）エンティティであって、３ＧＰＰベースのＥＰＳネットワークへのＷＬＡＮアクセスのために、前記ＷＬＡＮ−ＡＮがＳ２ａ接続性を有するＰＬＭＮのリストをユーザ装置ＵＥに提供するように構成された、ＷＬＡＮ−ＡＮエンティティ。
【請求項１０】
前記ＷＬＡＮ−ＡＮが認証用に使用可能なＰＬＭＮのリストに加えて、ＩＥＥＥ８０２．１１ｕＡＮＱＰ情報として前記リストを提供するように構成された、請求項９に記載のＷＬＡＮ−ＡＮエンティティ。
【請求項１１】
認証用かまたはＳ２ａ接続性用かあるいは両方用かを示すＰＬＭＮにつき２ビットを有する、ＰＬＭＮの単一のリストを提供するように構成された、請求項１０に記載のＷＬＡＮ−ＡＮエンティティ。
【国際調査報告】
2016521926.tif 000007
2016521926.tif 000008
2016521926.tif 000009